【手続補正書】
【提出日】平成16年8月13日(2004.8.13)
【手続補正１】
【補正対象書類名】明細書
【補正対象項目名】特許請求の範囲
【補正方法】変更
【補正の内容】
【特許請求の範囲】
【請求項１】
室内温度の調節機能を有する空気調和機において、
被空調室内に居る人の四肢の温度を検知する四肢温度センサと、
前記四肢温度センサの検知温度に応じて運転を制御する制御手段と、
を具備したことを特徴とする空気調和機。
【請求項２】
被空調室内の温度を検知する室内温度センサと、
前記室内温度センサの検知温度が目標室内温度となるよう運転を制御する制御手段と、
被空調室内に居る人の四肢の温度を検知する四肢温度センサと、
快眠モードの設定時、被空調室内の人が睡眠状態に入ったか否かを前記四肢温度センサの検知温度から判別する判別手段と、
前記快眠モードの設定時、前記判別手段の判別結果が肯定の場合に、前記四肢温度センサの検知温度に応じて前記目標室内温度を補正する補正手段と、
を具備したことを特徴とする空気調和機。
【請求項３】
被空調室内の温度を検知する室内温度センサと、
前記室内温度センサの検知温度が目標室内温度となるよう運転を制御する制御手段と、
被空調室内に居る人の四肢の温度を検知する四肢温度センサと、
被空調室内の湿度を検知する室内湿度センサと、
快眠モードの設定時、被空調室内の人が睡眠状態に入ったか否かを前記四肢温度センサの検知温度から判別する判別手段と、
前記快眠モードの設定時、前記判別手段の判別結果が肯定の場合に、前記四肢温度センサの検知温度および前記室内湿度センサの検知湿度に応じて前記目標室内温度を補正する補正手段と、
を具備したことを特徴とする空気調和機。
【請求項４】
被空調室内の温度を検知する室内温度センサと、
前記室内温度センサの検知温度が目標室内温度となるよう運転を制御する制御手段と、
被空調室内に居る人の四肢の温度を検知する四肢温度センサと、
快眠モードの設定時、被空調室内の人が睡眠状態に入ったか否かを前記四肢温度センサの検知温度から判別する判別手段と、
前記判別手段の判別結果が肯定の場合に、それからの時間経過を計測する計測手段と、
前記快眠モードの設定時、前記判別手段の判別結果が肯定の場合に、前記四肢温度センサの検知温度および前記計測手段の計測時間に応じて前記目標室内温度を補正する補正手段と、
を具備したことを特徴とする空気調和機。
【請求項５】
被空調室内の温度を検知する室内温度センサと、
前記室内温度センサの検知温度が目標室内温度となるよう運転を制御する制御手段と、
被空調室内に居る人の四肢の温度を検知する四肢温度センサと、
被空調室内の湿度を検知する室内湿度センサと、
快眠モードの設定時、被空調室内の人が睡眠状態に入ったか否かを前記四肢温度センサの検知温度から判別する判別手段と、
前記判別手段の判別結果が肯定の場合に、それからの時間経過を計測する計測手段と、
前記快眠モードの設定時、前記判別手段の判別結果が肯定の場合に、前記四肢温度センサの検知温度、前記室内湿度センサの検知湿度、および前記計測手段の計測時間に応じて前記目標室内温度を補正する補正手段と、
を具備したことを特徴とする空気調和機。
【請求項６】
被空調室内の温度を検知する室内温度センサと、
前記室内温度センサの検知温度が目標室内温度となるよう運転を制御する制御手段と、
被空調室内に居る人の四肢の温度を検知する四肢温度センサと、
被空調室内に居る人の四肢の湿度を検知する四肢湿度センサと、
快眠モードの設定時、被空調室内の人が睡眠状態に入ったか否かを前記四肢温度センサの検知温度から判別する判別手段と、
前記快眠モードの設定時、前記判別手段の判別結果が肯定の場合に、前記四肢温度センサの検知温度および前記四肢湿度センサの検知湿度に応じて前記目標室内温度を補正する補正手段と、
を具備したことを特徴とする空気調和機。
【請求項７】
被空調室内の温度を検知する室内温度センサと、
前記室内温度センサの検知温度が目標室内温度となるよう運転を制御する制御手段と、
被空調室内に居る人の四肢の温度を検知する四肢温度センサと、
被空調室内に居る人の心拍数を検知する心拍数センサと、
快眠モードの設定時、被空調室内の人が睡眠状態に入ったか否かを前記四肢温度センサの検知温度から判別する判別手段と、
前記快眠モードの設定時、前記判別手段の判別結果が肯定の場合に、前記四肢温度センサの検知温度および前記心拍数センサの検知心拍数に応じて前記目標室内温度を補正する補正手段と、
を具備したことを特徴とする空気調和機。
【請求項８】
被空調室内の温度を検知する室内温度センサと、
前記室内温度センサの検知温度が目標室内温度となるよう運転を制御する制御手段と、
被空調室内に居る人の四肢の温度を検知する四肢温度センサと、
被空調室内に居る人の湿度を検知する四肢湿度センサと、
被空調室内に居る人の心拍数を検知する心拍数センサと、
快眠モードの設定時、被空調室内の人が睡眠状態に入ったか否かを前記四肢温度センサの検知温度から判別する判別手段と、
前記快眠モードの設定時、前記判別手段の判別結果が肯定の場合に、前記四肢温度センサの検知温度、前記四肢湿度センサの検知温度、および前記心拍数センサの検知心拍数に応じて前記目標室内温度を補正する補正手段と、
を具備したことを特徴とする空気調和機。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に係る発明の空気調和機は、被空調室内の温度を検知する室内温度センサと、この室内温度センサの検知温度が目標室内温度となるよう運転を制御する制御手段と、被空調室内に居る人の四肢の温度を検知する四肢温度センサと、快眠モードの設定時、被空調室内の人が睡眠状態に入ったか否かを上記四肢温度センサの検知温度から判別する判別手段と、上記快眠モードの設定時、上記判別手段の判別結果が肯定の場合に、上記四肢温度センサの検知温度に応じて上記目標室内温度を補正する補正手段と、を備えている。
【手続補正５】
【補正対象書類名】明細書
【補正対象項目名】０００９
【補正方法】変更
【補正の内容】
【０００９】
請求項３に係る発明の空気調和機は、被空調室内の温度を検知する室内温度センサと、この室内温度センサの検知温度が目標室内温度となるよう運転を制御する制御手段と、被空調室内に居る人の四肢の温度を検知する四肢温度センサと、被空調室内の湿度を検知する室内湿度センサと、快眠モードの設定時、被空調室内の人が睡眠状態に入ったか否かを上記四肢温度センサの検知温度から判別する判別手段と、上記快眠モードの設定時、上記判別手段の判別結果が肯定の場合に、上記四肢温度センサの検知温度および上記室内湿度センサの検知湿度に応じて上記目標室内温度を補正する補正手段と、を備えている。
【手続補正６】
【補正対象書類名】明細書
【補正対象項目名】００１０
【補正方法】変更
【補正の内容】
【００１０】
請求項４に係る発明の空気調和機は、被空調室内の温度を検知する室内温度センサと、この室内温度センサの検知温度が目標室内温度となるよう運転を制御する制御手段と、被空調室内に居る人の四肢の温度を検知する四肢温度センサと、快眠モードの設定時、被空調室内の人が睡眠状態に入ったか否かを上記四肢温度センサの検知温度から判別する判別手段と、この判別手段の判別結果が肯定の場合に、それからの時間経過を計測する計測手段と、上記快眠モードの設定時、上記判別手段の判別結果が肯定の場合に、上記四肢温度センサの検知温度および上記計測手段の計測時間に応じて上記目標室内温度を補正する補正手段と、を備えている。
【手続補正７】
【補正対象書類名】明細書
【補正対象項目名】００１１
【補正方法】変更
【補正の内容】
【００１１】
請求項５に係る発明の空気調和機は、被空調室内の温度を検知する室内温度センサと、この室内温度センサの検知温度が目標室内温度となるよう運転を制御する制御手段と、被空調室内に居る人の四肢の温度を検知する四肢温度センサと、被空調室内の湿度を検知する室内湿度センサと、快眠モードの設定時、被空調室内の人が睡眠状態に入ったか否かを上記四肢温度センサの検知温度から判別する判別手段と、上記判別手段の判別結果が肯定の場合に、それからの時間経過を計測する計測手段と、上記快眠モードの設定時、上記判別手段の判別結果が肯定の場合に、上記四肢温度センサの検知温度、上記室内湿度センサの検知湿度、および上記計測手段の計測時間に応じて上記目標室内温度を補正する補正手段と、を備えている。
請求項８に係る発明の空気調和機は、請求項４ないし請求項７のいずれかに係る発明において、さらに、四肢温度センサを有し、かつ人体の四肢に対する装着が可能で、四肢温度センサの検知温度を一定時間ごとに当該空気調和機の室内ユニットに無線送信するセンサユニット、を備えている。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
請求項６に係る発明の空気調和機は、被空調室内の温度を検知する室内温度センサと、この室内温度センサの検知温度が目標室内温度となるよう運転を制御する制御手段と、被空調室内に居る人の四肢の温度を検知する四肢温度センサと、被空調室内に居る人の四肢の湿度を検知する四肢湿度センサと、快眠モードの設定時、被空調室内の人が睡眠状態に入ったか否かを上記四肢温度センサの検知温度から判別する判別手段と、上記快眠モードの設定時、上記判別手段の判別結果が肯定の場合に、上記四肢温度センサの検知温度および上記四肢湿度センサの検知湿度に応じて上記目標室内温度を補正する補正手段と、を備えている。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
請求項７に係る発明の空気調和機は、被空調室内の温度を検知する室内温度センサと、この室内温度センサの検知温度が目標室内温度となるよう運転を制御する制御手段と、被空調室内に居る人の四肢の温度を検知する四肢温度センサと、被空調室内に居る人の心拍数を検知する心拍数センサと、快眠モードの設定時、被空調室内の人が睡眠状態に入ったか否かを上記四肢温度センサの検知温度から判別する判別手段と、上記快眠モードの設定時、上記判別手段の判別結果が肯定の場合に、上記四肢温度センサの検知温度および上記心拍数センサの検知心拍数に応じて上記目標室内温度を補正する補正手段と、を備えている。
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】変更
【補正の内容】
【００２２】
請求項８に係る発明の空気調和機は、被空調室内の温度を検知する室内温度センサと、この室内温度センサの検知温度が目標室内温度となるよう運転を制御する制御手段と、被空調室内に居る人の四肢の温度を検知する四肢温度センサと、被空調室内に居る人の湿度を検知する四肢湿度センサと、被空調室内に居る人の心拍数を検知する心拍数センサと、快眠モードの設定時、被空調室内の人が睡眠状態に入ったか否かを上記四肢温度センサの検知温度から判別する判別手段と、上記快眠モードの設定時、上記判別手段の判別結果が肯定の場合に、上記四肢温度センサの検知温度、上記四肢湿度センサの検知温度、および上記心拍数センサの検知心拍数に応じて上記目標室内温度を補正する補正手段と、を備えている。
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】